(57)【要約】      （修正有）【課題】見た目も華やかで陰気な印象を与えることなく、より故人を身近に感じることができる部屋置き納骨堂を提供する。【解決手段】基台部１０２及びこの基台部１０２の奥側に立設された背面パネルを備えた本体部１０１と、本体部１０１に載置される透明なカバー体１３０と、を有してなる部屋置き納骨堂１００であって、基台部１０２は、手前側にお供え物を載置できる載置スペースを備えると共に、奥側に骨壺の一部を嵌め込むための嵌合部を備えた納骨スペースを備え、納骨スペースと背面パネルとに跨がるようにプリザーブドフラワーを配置し、背面パネルの略中央には、遺影を飾るための遺影載置部を備え、カバー体１３０は、少なくとも納骨スペースと背面パネルの前面を覆うように構成する。【選択図】図１
0003197172.tif 000002
【実用新案登録請求の範囲】
【請求項１】
基台部及び当該基台部の奥側に立設された背面パネルを備えた本体部と、該本体部に載置される透明なカバー体と、を有してなる部屋置き納骨堂であって、
前記基台部は、手前側にお供え物を載置できる載置スペースを備えると共に、奥側に骨壺の一部を嵌め込むための嵌合部を備えた納骨スペースを備え、
前記納骨スペースと前記背面パネルとに跨がるようにプリザーブドフラワー又は／及び造花が配置され、
前記背面パネルの略中央には、遺影を飾るための遺影載置部を備え、
前記カバー体は、少なくとも前記納骨スペースと前記背面パネルの前面を覆うように構成されている
ことを特徴とする部屋置き納骨堂。
【請求項２】
請求項１において、
前記カバー体の側面側が遮光処理されている
ことを特徴とする部屋置き納骨堂。
【請求項３】
請求項１又は２において、
前記プリザーブドフラワー又は／及び造花は、正面視すると前記背面パネルの幅方向中央付近が頂点となるように且つ基台部側が凸の円弧を描くように配置されると共に、平面視すると前記基台部の幅方向中央付近が頂点となるように且つ背面パネル側が凸の円弧を描くように配置される
ことを特徴とする部屋置き納骨堂。
【考案の詳細な説明】
【技術分野】
【０００１】
本考案は、仏壇や仏具の技術分野に関するものである。
【背景技術】
【０００２】
従来から、持ち運びに便利な形態で構成された仏壇は公知である（特許文献１）。特許文献１に開示される仏壇は、箱の一部がヒンジ等で引き起こし可能に構成されていて、引き起こすと遺影と仏具を載置しておくスペースが現れるというものである。
【０００３】
また、遺骨や遺品を収納するスペースを設けた仏壇も公知である（特許文献２）。
【先行技術文献】
【特許文献】
【０００４】
【特許文献１】実用新案登録第３１４５２０１号公報
【特許文献２】特開２００４−１０５７０１号公報
【考案の概要】
【考案が解決しようとする課題】
【０００５】
葬儀が終わると、遺骨は墓地等に納め、遺影や位牌が自宅の仏壇など普段の身近な場所に置かれるというのが一般的であるが、遺骨を墓地等に納めるのではなく、いつも自分の側に置いておきたいという需要も存在する。
【０００６】
しかしながら、従来の仏壇は、その構成や見た目の印象から、どうしても「陰気な感じ」が払拭できていないし、遺骨を収納するにしても、どちらかといえばその遺骨は仏壇の中に隠すように収納されていて、目を向けても特段身近に感じられるものでもない。
【０００７】
本考案は、これらの問題点を解決するべくなされたものであって、見た目も華やかで陰気な印象を与えることなく、より故人を身近に感じることができる部屋置き納骨堂を提供するものである。
【課題を解決するための手段】
【０００８】
上記課題を解消するべく、本考案は、基台部及び当該基台部の奥側に立設された背面パネルを備えた本体部と、該本体部に載置される透明なカバー体と、を有してなる部屋置き納骨堂であって、前記基台部は、手前側にお供え物を載置できる載置スペースを備えると共に、奥側に骨壺の一部を嵌め込むための嵌合部を備えた納骨スペースを備え、前記納骨スペースと前記背面パネルとに跨がるようにプリザーブドフラワー又は／及び造花が配置され、前記背面パネルの略中央には、遺影を飾るための遺影載置部を備え、前記カバー体は、少なくとも前記納骨スペースと前記背面パネルの前面を覆うように構成されていることを特徴とする。
【０００９】
このように、遺骨が納まる骨壺を積極的に外部から視認することができるので、目を向けるだけでより故人を身近に感じる事ができる。更にこの骨壺を恰も取り囲むようにプリザーブドフラワー又は／及び造花が配置されているので、従来の仏壇とは全く異なり華やかな印象を与えることができる。また、骨壺やプリザーブドフラワー等が配置される納骨スペースや背面パネルの前面側は、透明なカバー体によって覆われているので、普段生活する身近な場所においても埃などが直接かかることなく、カバー体の表面を定期的に清掃するだけで、長期間にわたって綺麗な状態を維持することができるのである。
【００１０】
また、前記カバー体の側面側を遮光処理して構成してもよい。
【００１１】
このように構成すれば、煩雑な印象となりがちなプリザーブドフラワー又は／及び造花の端面の露出を抑えることができる。更に、正面側及び天面側から集中的にカバー体の内部、即ち骨壺やプリザーブドフラワー又は／及び造花周辺に光を採り入れることになるため陰影が際立ち、カバー体内の配置物をより立体的に見せることが可能となる。
【００１２】
また、前記プリザーブドフラワー又は／及び造花を、正面視すると前記背面パネルの幅方向中央付近が頂点となるように且つ基台部側が凸の円弧を描くように配置すると共に、平面視すると前記基台部の幅方向中央付近が頂点となるように且つ背面パネル側が凸の円弧を描くように配置することも可能である。
【００１３】
このように構成すると、骨壺が、よりプリザーブドフラワー又は／及び造花に取り囲まれている印象を与えることができると共に、実際に配置するよりも沢山のプリザーブドフラワー又は／及び造花が配置されている印象を看者に与えることができる。
【００１４】
本考案により、見た目も華やかで陰気な印象を与えることなく、より故人を身近に感じることができる部屋置き納骨堂を提供することができる。
【図面の簡単な説明】
【００１５】
【図１】本考案に係る部屋置き納骨堂の斜視図である。
【図２】本考案に係る部屋置き納骨堂の正面図であって、カバー体を取り外した状態図である。
【図３】本考案に係る部屋置き納骨堂の平面図であって、カバー体を取り外した
【図４】骨壺が嵌合される嵌合部の拡大図である。
【図５】遺影及び遺影載置部の右側面方向よりの拡大斜視図である。
【考案を実施するための形態】
【００１６】
以下、添付図面を参照しつつ、本考案の実施形態の一例である部屋置き納骨堂１００について詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈部屋置き納骨堂の構成〉
図１に示しているように、本考案に係る部屋置き納骨堂１００は、本体部１０１とこの本体部１０１矩形に載置される透明なカバー体１３０を主たる要素として構成される。
【００１８】
カバー体１３０は、本実施形態においては、アクリル板を組み合わせて構成されており、カバー天面１３０ａと、このカバー天面１３０ａの左右に配置される側面視台形状の２つのカバー側面１３０ｃと、これらカバー天面１３０ａ及び２つのカバー側面１３０ｃに接するように且つ正面側に向かって傾斜して配置されるカバー傾斜面１３０ｂを備える。また、２つのカバー側面１３０ｃは、カバー天面１３０ａやカバー傾斜面１３０ｂに比べて透過性が低くなるように遮光処理されたアクリルにより構成される。
【００１９】
図２及び図３に示しているように、本体部１０１は、矩形に形成された基台部１０２と、当該基台部１０２の奥方に立設された背面パネル１０６とを有してなる。本実施形態においては、この基台部１０１の幅は概ね４５ｃｍ、奥行は概ね３３ｃｍ、背面パネル１０６の高さは概ね２７ｃｍのサイズで構成されており、机やタンスなど、部屋にある家具等の上に容易に載置することができる。もちろんこの大きさに限定されるものではなく、適宜サイズを変更する事は可能である。
【００２０】
また、背面パネル１０６の前面中央には、遺影１１０を載置する遺影載置部１０８が備わっている。この遺影１１０は、２枚のアクリル板１１６に挟まれた状態で、遺影載置部１０８に嵌め込まれて固定されている（図５参照）。
【００２１】
基台部１０２の手前側略半分は、お供え物やお線香立てなどを載置することができる載置スペース１０４であり、奥側略半分は、骨壺１１２を収納しておくための収納スペース１０５である。また、載置スペース１０４の内側は中空とされており、お線香やマッチなどを収納しておくことが可能な引き出し１０２ａが設けられている。
【００２２】
収納スペース１０５には、骨壺１１２の一部を嵌め込んで固定しておくための嵌合部１１８が設けられている（図４参照）。なお、本実施形態においては、嵌合部１１８は、載置スペース１０５から凹んで構成されているが、骨壺１１２の周囲を取り囲むように突起して嵌合部を構成することも可能である。
【００２３】
収納スペース１０５の奥方には、背面パネル１０６に跨がるようにプリザ−ブドフラワー１１４が設置されている。図面では分からないが、このプリザーブドフラワー１１４は、原色ではなく、全て（一色又は複数色の）淡い色彩（パステルカラー）で統一され、看者に柔らかい印象を与えるように構成されている。
【００２４】
また、このプリザーブドフラワー１１４は、正面視すると、背面パネル１０６の幅方向中央付近が頂点となるように且つ基台部１０２側が凸の円弧αを描くように配置されると共に、平面視すると基台部１０２の幅方向中央付近が頂点となるように且つ背面パネル１０６側が凸の円弧βを描くように配置されている（図２及び図３を参照）。
【００２５】
プリザーブドフラワー１１４をこのように構成しているので、骨壺１１２が、よりプリザーブドフラワー１１４に取り囲まれている印象を与えることができると共に、実際に配置するよりも沢山のプリザーブドフラワー１１４が配置されている印象を看者に与えることができる。
【００２６】
このように、本考案に係る部屋置き納骨堂１００は、基台部１０２及び当該基台部１０２の奥側に立設された背面パネル１０６を備えた本体部１０１と、該本体部１０１に載置される透明なカバー体１３０と、を有し、基台部１０２は、手前側にお供え物を載置できる載置スペース１０４を備えると共に、奥側に骨壺の一部を嵌め込むための嵌合部１１８を備えた納骨スペース１０５を備え、納骨スペース１０５の表面から背面パネル１０６とに跨がるようにプリザーブドフラワー１１４が配置され、背面パネル１０６の略中央には、遺影１１０を飾るための遺影載置部１０８を備え、カバー体１３０は、少なくとも納骨スペース１０５と背面パネル１０６の前面を覆うように構成されていので、遺骨が納まる骨壺１１２を積極的に外部から視認することができ、目を向けるだけでより故人を身近に感じる事ができる。更にこの骨壺１１２を恰も取り囲むようにプリザーブドフラワー１１４が配置されているので、従来の仏壇とは全く異なり華やかな印象を与えることができる。また、骨壺１１２やプリザーブドフラワー１１４が配置される納骨スペース１０５や背面パネル１０６の前面側は、透明なカバー体１３０によって覆われているので、普段生活する身近な場所においても埃などが直接かかることなく、カバー体１３０の表面を定期的に清掃するだけで、長期間に渡って綺麗な状態を維持することができるのである。
【００２７】
また、２つのカバー側面１３０ｃは、カバー天面１３０ａやカバー傾斜面１３０ｂに比べて透過性が低くなるように遮光処理されたアクリルにより構成されているので、煩雑な印象となりがちなプリザーブドフラワー１１４の端面（カバー側面１３０ｃ側の面）の露出を抑えることができる。更に、正面側及び天面側から集中的にカバー体１３０の内部、即ち骨壺１１２やプリザーブドフラワー１１４に光を採り入れることになるためこれらの陰影が際立ち、より立体的に見せることが可能となる。
【００２８】
〈その他の構成例〉
なお、上記では、花はプリザーブドフラワーとして説明しているが、それ以外の造花でもよいし、それらを適宜組み合わせるようにして配置構成することも可能である。
【００２９】
また、上記では、納骨スペースに設けられた嵌合部は一つであり、そこに嵌合される骨壺も一つで構成されていたが、２つ以上設け、複数の故人を同時に身近に感じることも可能である。
【００３０】
また、上記では、人間の遺骨を前提に説明しているが、対象がペット等の愛玩動物であってもよい。
【符号の説明】
【００３１】
１００・・・部屋置き納骨堂
１０１・・・本体部
１０２・・・基台部
１０４・・・載置スペース
１０５・・・納骨スペース
１０６・・・背面パネル
１０８・・・遺影載置部
１１０・・・遺影
１１２・・・骨壺
１１４・・・プリザーブドフラワー
１１６・・・アクリル板
１１８・・・嵌合部
１３０・・・カバー体
１３０ａ・・・カバー天面
１３０ｂ・・・カバー傾斜面
１３０ｃ・・・カバー側面
【図１】
0003197172.tif 000003
【図２】
0003197172.tif 000004
【図３】
0003197172.tif 000005
【図４】
0003197172.tif 000006
【図５】
0003197172.tif 000007